(57)【要約】【課題】コンテンツにおけるオブジェクトが実寸大で表示されることによる臨場感を体感させること。【解決手段】画像データおよび当該画像データにおけるオブジェクトの実寸法データを含むコンテンツを、受信部１２２によって受信した場合には、受信されたコンテンツに含まれる画像データに基づいたオブジェクトの指定を受付部１２３によって受け付けたか否かを判断する。オブジェクトの指定を受付部１２３によって受け付けた場合には、受信部１２２によって受信されたコンテンツに含まれる実寸法データと表示画面の画面サイズデータとに基づいて、受付部１２３によって指定を受け付けた指定オブジェクトが、表示画面上で実寸大になるように、表示制御部１２４によって表示倍率を調整した画像を表示するように制御する。【選択図】図１
2007178644.tif 000002
【特許請求の範囲】
【請求項１】
画像を表示する表示画面を有する表示装置であって、
画像データおよび当該画像データにおけるオブジェクトの実寸法データを含むコンテンツを受信する受信手段と、
前記受信手段によって受信されたコンテンツに含まれる画像データにおけるオブジェクトのうちいずれか１つの前記オブジェクトの指定を受け付ける受付手段と、
前記受付手段によって指定を受け付けたオブジェクト（以下、「指定オブジェクト」という）を前記実寸法データと前記表示画面の画面サイズデータとに基づいて、前記指定オブジェクトを表示画面上で実寸大になるように表示倍率を調整した画像を表示するように制御する表示制御手段と、
を備えることを特徴とする表示装置。
【請求項２】
前記実寸法データは、ファインダーフレームの実寸法に基づいたデータであることを特徴とする請求項１に記載の表示装置。
【請求項３】
前記表示制御手段は、前記指定オブジェクトが含まれる前記ファインダーフレームの実寸法が前記表示画面の寸法よりも大きい場合、前記画像データを拡大表示することを特徴とする請求項１または２に記載の表示装置。
【請求項４】
前記表示制御手段は、拡大表示する際に、前記指定オブジェクトの所定位置を前記表示画面の中心となるように表示することを特徴とする請求項３に記載の表示装置。
【請求項５】
前記表示制御手段は、前記指定オブジェクトが含まれる前記ファインダーフレームの実寸法が前記表示画面の寸法よりも小さい場合、前記画像データを縮小表示することを特徴とする請求項１または２に記載の表示装置。
【請求項６】
前記表示制御手段は、縮小表示する際に、前記指定オブジェクトの所定位置を前記表示画面の中心となるように表示することを特徴とする請求項５に記載の表示装置。
【請求項７】
前記表示制御手段は、前記指定オブジェクトが含まれる前記ファインダーフレームの実寸法が前記表示画面の寸法よりも小さい場合、前記画像データによってあらわされる画像の周囲に所定の画像データを組み合わせて表示することを特徴とする請求項１、２、５、または６のいずれか一つに記載の表示装置。
【請求項８】
前記所定の画像データは、壁紙画像、あるいは所定の付加情報に基づく画像であることを特徴とする請求項７に記載の表示装置。
【請求項９】
画像データおよび当該画像データにおけるオブジェクトの実寸法データを含むコンテンツを受信する受信手段と、
前記受信手段によって受信されたコンテンツに含まれる画像データにおけるオブジェクトのうちいずれか１つの前記オブジェクトの指定を受け付ける受付手段と、
前記受付手段によって指定を受け付けたオブジェクト（以下、「指定オブジェクト」という）を前記実寸法データと画像を表示させる表示装置の画面サイズデータとに基づいて、前記指定オブジェクトを表示画面上で実寸大になるように表示倍率を調整した表示画像信号を生成する表示制御手段と、
を備えることを特徴とする表示制御装置。
【請求項１０】
前記画面サイズデータを取得する取得手段をさらに有することを特徴とする請求項９に記載の表示制御装置。
【請求項１１】
画像を表示する表示画面を有する表示装置における表示方法であって、
画像データおよび当該画像データにおけるオブジェクトの実寸法データを含むコンテンツを受信する受信工程と、
前記受信工程によって受信されたコンテンツに含まれる画像データにおけるオブジェクトのうちいずれか１つの前記オブジェクトの指定を受け付ける受付工程と、
前記受付工程によって指定を受け付けたオブジェクト（以下、「指定オブジェクト」という）を前記実寸法データと前記表示画面の画面サイズデータとに基づいて、前記指定オブジェクトを表示画面上で実寸大になるように表示倍率を調整した画像を表示するように制御する表示制御工程と、
を含んだことを特徴とする表示方法。
【請求項１２】
画像データおよび当該画像データにおけるオブジェクトの実寸法データを含むコンテンツを受信する受信工程と、
前記受信工程によって受信されたコンテンツに含まれる画像データにおけるオブジェクトのうちいずれか１つの前記オブジェクトの指定を受け付ける受付工程と、
前記受付工程によって指定を受け付けたオブジェクト（以下、「指定オブジェクト」という）を前記実寸法データと画像を表示させる表示装置の画面サイズデータとに基づいて、前記指定オブジェクトを表示画面上で実寸大になるように表示倍率を調整した表示画像信号を生成する表示制御工程と、
を含んだことを特徴とする表示方法。
【請求項１３】
請求項１１または１２に記載の表示方法をコンピュータに実行させることを特徴とする表示プログラム。
【請求項１４】
請求項１３に記載の表示プログラムを記録したことを特徴とする記録媒体。
【発明の詳細な説明】
【技術分野】
【０００１】
この発明は、表示装置、表示制御装置、表示方法、プログラム、および記録媒体に関する。ただし、この発明の利用は、上述した表示装置、表示制御装置、表示方法、プログラム、および記録媒体に限るものではない。
【背景技術】
【０００２】
従来、映像送信側ユーザ乙および映像受信側ユーザ甲の視聴位置情報に基づき、撮影をおこなうカメラの撮影画角を画角制御装置によって制御するようにした技術がある（たとえば、下記特許文献１参照。）。特許文献１の技術においては、まず、撮影した映像信号を人物背景分離装置によって背景信号と人物信号とに分離する。そして、背景信号については、受信側ユーザ甲の位置情報に基づき蓄積更新をおこない、蓄積更新した背景信号と分離された人物信号とを、人物背景合成装置により合成し、表示装置により映像再生をおこなう。
【０００３】
また、従来、撮影手段と、当該撮影手段から被写体までの距離を計測する距離計測手段と、撮影手段の撮影レンズ画角と被写体までの距離に基づいて被写体を実物大表示するための画像の表示サイズを計算する表示サイズ計算手段と、撮影手段によって撮影された画像を計算された実物大表示サイズで表示する画像表示手段とを具備する実物大画像入出力装置がある（たとえば、下記特許文献２参照。）。
【０００４】
さらに、従来、商品となる物体の撮像画面を送る送信側において、撮像面での実サイズ情報を計測し、商品となる物体の撮像出力と共に、この撮像面での実サイズ情報を送信し、受信側において、付加情報抽出回路により、実サイズ情報を抽出し、ディスプレイのサイズ情報と、送られてきた撮像面での実サイズ情報とから、実サイズとなる拡大または縮小率Ｒを算出し、算出された拡大または縮小率に基づいて、拡大縮小回路によって再生画面を拡大または縮小して表示するようにした技術がある（たとえば、下記特許文献３参照。）。
【０００５】
【特許文献１】特開平７−１９３７９６号公報
【特許文献２】特開２０００−２２４４５９号公報
【特許文献３】特開２００２−１９９３５８号公報
【発明の開示】
【発明が解決しようとする課題】
【０００６】
しかしながら、上述した特許文献１の技術では、映像送信側ユーザ乙および映像受信側ユーザ甲の視聴位置情報に基づいてカメラの画角制御をおこなうため、ユーザ乙およびユーザ甲の視聴位置によって、映像送信側が送信する映像信号が制限されてしまうという問題が一例として挙げられる。
【０００７】
また、上述した特許文献２の技術では、画像表示手段によって被写体を実物大表示するための画像の表示サイズを、撮影手段の撮影レンズ画角と被写体までの距離に基づいて計算し、計算された距離に基づいて撮影手段によって撮影される画角を調整するため、被写体と撮影手段との距離によって、映像信号が制限されてしまうという問題が一例として挙げられる。
【０００８】
さらに、上述した特許文献３の技術では、撮像画面を送る送信側において指定された物体のみが実サイズで表示されるため、実サイズを知りたい物体を視聴者が選択することができないという問題が一例として挙げられる。また、上述した特許文献３の技術では、撮像画面を送る送信側において指定された物体が一様に実サイズで表示されるため、たとえば、視聴者がサイズの小さいディスプレイを用いている場合、物体の周囲の画像を見ることができず、応用性に欠けるという問題が一例として挙げられる。
【課題を解決するための手段】
【０００９】
請求項１の発明にかかる表示装置は、画像を表示する表示画面を有する表示装置であって、画像データおよび当該画像データにおけるオブジェクトの実寸法データを含むコンテンツを受信する受信手段と、前記受信手段によって受信されたコンテンツに含まれる画像データにおけるオブジェクトのうちいずれか１つの前記オブジェクトの指定を受け付ける受付手段と、前記受付手段によって指定を受け付けたオブジェクト（以下、「指定オブジェクト」という）を前記実寸法データと前記表示画面の画面サイズデータとに基づいて、前記指定オブジェクトを表示画面上で実寸大になるように表示倍率を調整した画像を表示するように制御する表示制御手段と、を備えることを特徴とする。
【００１０】
請求項９の発明にかかる表示制御装置は、画像データおよび当該画像データにおけるオブジェクトの実寸法データを含むコンテンツを受信する受信手段と、前記受信手段によって受信されたコンテンツに含まれる画像データにおけるオブジェクトのうちいずれか１つの前記オブジェクトの指定を受け付ける受付手段と、前記受付手段によって指定を受け付けたオブジェクト（以下、「指定オブジェクト」という）を前記実寸法データと画像を表示させる表示装置の画面サイズデータとに基づいて、前記指定オブジェクトを表示画面上で実寸大になるように表示倍率を調整した表示画像信号を生成する表示制御手段と、を備えることを特徴とする。
【００１１】
請求項１１の発明にかかる表示方法は、画像を表示する表示画面を有する表示装置における表示方法であって、画像データおよび当該画像データにおけるオブジェクトの実寸法データを含むコンテンツを受信する受信工程と、前記受信工程によって受信されたコンテンツに含まれる画像データにおけるオブジェクトのうちいずれか１つの前記オブジェクトの指定を受け付ける受付工程と、前記受付工程によって指定を受け付けたオブジェクト（以下、「指定オブジェクト」という）を前記実寸法データと前記表示画面の画面サイズデータとに基づいて、前記指定オブジェクトを表示画面上で実寸大になるように表示倍率を調整した画像を表示するように制御する表示制御工程と、を含んだことを特徴とする。
【００１２】
請求項１２の発明にかかる表示方法は、画像データおよび当該画像データにおけるオブジェクトの実寸法データを含むコンテンツを受信する受信工程と、前記受信工程によって受信されたコンテンツに含まれる画像データにおけるオブジェクトのうちいずれか１つの前記オブジェクトの指定を受け付ける受付工程と、前記受付工程によって指定を受け付けたオブジェクト（以下、「指定オブジェクト」という）を前記実寸法データと画像を表示させる表示装置の画面サイズデータとに基づいて、前記指定オブジェクトを表示画面上で実寸大になるように表示倍率を調整した表示画像信号を生成する表示制御工程と、を含んだことを特徴とする。
【００１３】
請求項１３の発明にかかる表示プログラムは、請求項１１または１２に記載の表示方法をコンピュータに実行させることを特徴とする。
【００１４】
請求項１４の発明にかかる記録媒体は、請求項１３に記載の表示プログラムを記録したことを特徴とする。
【発明を実施するための最良の形態】
【００１５】
以下に添付図面を参照して、この発明にかかる表示装置、表示方法、表示プログラム、および記録媒体の好適な実施の形態を詳細に説明する。
【００１６】
（実寸大表示システム１００の概略構成）
はじめに、この発明の実施の形態にかかる実寸大表示システム１００の概略構成について説明する。図１は、この発明の実施の形態にかかる実寸大表示システムの概略構成を示すブロック図である。実施の形態にかかる実寸大表示システム１００は、コンテンツ配信装置１１０と、表示装置１２０と、を備えている。コンテンツ配信装置１１０は、たとえば、テレビ局やインターネットプロバイダーなどに設置される。表示装置１２０は、たとえば、一般家庭などに設置される。
【００１７】
コンテンツ配信装置１１０は、画像データおよび当該画像データにおけるオブジェクトの実寸法データを含むコンテンツを配信する。ここで、画像データとは、オブジェクトを撮影した画像をあらわすデータである。オブジェクトとは、具体的な形をもって空間に存在する物体であり、画像においてオブジェクトとその周囲、あるいは、オブジェクトとそれ以外の物体、のようにオブジェクトを独立して区別することが可能な物体である。
【００１８】
具体的には、オブジェクトは、たとえば、人物、動植物、車両、家具、食器小物、建築物、美術品など、具体的な形をもって空間に存在する各種の物体が挙げられる。オブジェクトは、移動可能なものであってもよいし、不動なものであってもよい。オブジェクトを撮影する撮影手段としては、たとえば、テレビ局のスタジオに設置されたカメラ、中継現場などに持ち込まれたカメラ、ドラマや映画の撮影に用いるカメラ、個人が所有するスチルカメラやビデオカメラあるいはカメラ機能付きの携帯型電話機などが挙げられる。
【００１９】
また、実寸法データとは、オブジェクトの実空間における実際の寸法（実寸法）をあらわすデータである。実寸法データは、オブジェクトが取り得る最大寸法（たとえば、オブジェクトが人間であれば身長など）ではなく、画像データにおけるオブジェクトの実空間における実寸法をあらわすデータである。また、実寸法データは、オブジェクトの実空間における実際の寸法（物理的な大きさ）をあらわすデータだけでなく、実寸大表示をおこなうために必要な表示倍率データや表示中心位置を示すデータなどを含んでいる。
【００２０】
実寸法データは、たとえば、オブジェクトの実寸法を直接的にあらわすデータだけでなく、オブジェクト間の実寸法比率を含んでいるように構成してもよい。つまり、画像データにおいて、オブジェクトが複数存在する場合、上述した方法を用いていずれか１つのオブジェクトの実寸法が分かれば、オブジェクト間の実寸法の比率によって複数のオブジェクトの実寸法をそれぞれあらわすこともできる。
【００２１】
実寸法データは、たとえば、オブジェクトの実寸法を画面に存在する基準となる物体（以下、「基準物体」という）に対する比率をあらわすデータを含んでいてもよい。ここで、オブジェクトの実寸法は、基準物体の実寸法が分かれば、オブジェクトの実寸法を直接的にあらわすデータに限らず、基準物体の実寸法とオブジェクトの実寸法との比率によってあらわすことができる。画像データによってあらわされる画像において基準物体が存在しない、すなわち、オブジェクトのみを撮影した画像である場合、実寸法データは、オブジェクトを面内に含むファインダーフレームの実寸法とオブジェクトの実寸法との比率によってあらわすことができる。
【００２２】
ここで、ファインダーフレームとは、通常は、撮影手段から所定の距離離間した位置に存在するオブジェクトを撮影する場合に、撮影手段が撮影可能な範囲の外郭をあらわすものである。ファインダーフレームは、撮影手段による撮影に際してより広角なレンズを用いた場合ほど大きくなる。以下、前述の概念を有するファインダーフレームを「通常のファインダーフレーム」という。撮影手段は、撮影手段においてオブジェクトからの反射光が結像される焦点位置から、通常のファインダーフレームへ向かって拡開する錐形状の仮想的な空間内に存在するオブジェクトを、ファインダーフレーム内に存在するオブジェクトとして撮影する。
【００２３】
ところで、上述した焦点位置と通常のファインダーフレームとの間において、通常のファインダーフレームによって枠取られる平面に平行な複数の平面を想定した場合、各平面の外郭をあらわす各ファインダーフレームは、通常のファインダーフレームの形状に対して相似関係を保ちながら焦点位置に近いほどサイズが小さくなる。
【００２４】
撮影手段によって撮影されるオブジェクトは、複数のファインダーフレームのうち、いずれかの平面の外郭をあらわすファインダーフレームによって形成される面内に含まれる。すなわち、オブジェクトの実寸法は、オブジェクトを面内に含むファインダーフレームの実寸法が分かれば、当該ファインダーフレームの実寸法に対するオブジェクトの実寸法の比率によってあらわすことができる。
【００２５】
画像データにおいて、オブジェクトが複数存在する場合、オブジェクトを面内に含むファインダーフレームも複数存在することになる。ここで、オブジェクトを面内に含む複数のファインダーフレームのうち、いずれか１つのオブジェクトを面内に含むファインダーフレームの実寸法が分かれば、当該ファインダーフレームの実寸法に対する実寸法の比率によって、残りのファインダーフレームの実寸法をあらわすことができる。
【００２６】
実寸法データは、１つのオブジェクトをあらわす画像データに対して１つずつ関連付けられているものに限らない。たとえば、１つのオブジェクトをあらわす画像データに対して、オブジェクトの部位ごとに関連付けられた複数の実寸法データを含んでいてもよい。具体的には、たとえば、撮影手段に対する距離が、部位によって異なるようなオブジェクトをあらわす画像データであれば、当該オブジェクトにおける所定の部位の実寸法データと、当該所定の部位を実寸法であらわした場合の所定の部位以外の任意の部位の実寸法データとが、所定の部位ごとに関連付けられていてもよい。
【００２７】
ここで、具体例として、乗用車を斜め前方から撮影した画像データを例に説明する。たとえば、乗用車のヘッドライトを所定の部位とした場合、任意の位置となる後輪部分の実寸法データは、実際の後輪の実寸法の数値よりも小さい数値となる。一方、同じ画像データであっても乗用車の後輪部分を所定の部位とした場合、任意の部位となるヘッドライトの実寸法データは、ヘッドライトの実寸法の数値よりも大きい値となる。
【００２８】
すなわち、撮影手段のファインダーフレームに平行なフレーム面が、撮影手段に対して接離方向に複数あると想定した場合に、同一のフレーム面に位置する部位であればいずれも実寸法をあらわす実寸法データとなるが、異なるフレーム面に位置する部位に関しては所定の部位が位置するフレームに対して撮影手段に接近する側であるのか否かによって、他の部位実寸法データは、実寸法よりも大きい数値あるいは小さい数値となる。
【００２９】
実寸法データは、画像の撮影者など画像データの作成関係者による入力操作を介して入力されてもよいし、撮影手段による撮影位置からオブジェクトあるいは各部位までの距離および撮影手段による撮影可能な高さを用いて適宜算出されてもよい。コンテンツ配信装置１１０は、コンテンツごとに割り当てられた放送時刻などの所定のタイミングでコンテンツを配信してもよいし、インターネット上で任意のタイミングでコンテンツを配信するようにしてもよい。
【００３０】
（表示装置１２０の機能的構成）
つぎに、表示装置１２０の機能的構成について図１を参照して説明する。表示装置１２０は、表示部１２１と、受信部１２２と、受付部１２３と、表示制御部１２４と、を備えている。表示部１２１は、画像を表示する表示画面を有している。受信部１２２は、画像データおよび当該画像データにおけるオブジェクトの実寸法データを含むコンテンツを受信する。具体的には、受信部１２２は、上述したコンテンツ配信装置１１０などの外部装置から直接あるいはサーバなどを介して間接的に送信されたコンテンツを受信する。また、受信部１２２は外部装置だけからではなく、表示装置１２０内の図示せぬ大容量メモリに蓄積されている画像データを抽出するように構成してもよい。
【００３１】
また、受付部１２３は、受信部１２２によって受信されたコンテンツに含まれる画像データにおけるオブジェクトの指定を受け付ける。たとえば、受信部１２２によって受信されたコンテンツに含まれる画像データに基づいて等倍画像を表示部１２１の表示画面に表示し、この等倍画像の中から任意のオブジェクトを選択させることによってオブジェクトの指定を受け付けることができる。ここで、等倍画像とは、受信部１２２によって受信されたコンテンツに含まれる画像データを、当該画像データに対する表示倍率の調整をおこなわずに表示画面に表示した画像である。
【００３２】
受付部１２３におけるオブジェクトの指定の受け付けは、具体的には、たとえば、表示画面に積層したタッチパネルや、カーソルなどを備えるリモコンキーなどを用いておこなうことができる。なお、等倍画像とは、受信部１２２によって受信されたコンテンツに含まれる画像データに対して、拡大あるいは縮小などの表示倍率の調整処理を施さずに、当該画像データに基づいてそのまま表示した画像である。
【００３３】
受付部１２３は、オブジェクトの指定に加えて、指定オブジェクト上の所定の部位の指定を受け付けてもよい。指定を受け付ける部位は、画像データの送信元であるコンテンツ配信装置１１０において指定されていてもよいし、視聴者によって指定された任意の部位であってもよい。
【００３４】
また、表示制御部１２４は、受信部１２２によって受信されたコンテンツに含まれる実寸法データのうち、受付部１２３によって指定を受け付けたオブジェクト（以下、「指定オブジェクト」という）の実寸法データに基づいて、指定オブジェクトを表示部１２１の表示画面上で実寸大になるように表示倍率を調整した画像を表示する。
【００３５】
表示制御部１２４は、受信部１２２によって受信されたコンテンツに含まれる実寸法データと表示画面のサイズデータとを用いて、それぞれの表示画面のサイズに合わせて表示倍率を調整することで、指定オブジェクトを表示部１２１の表示画面上において実寸大となるように表示するように制御する。なお、表示制御部１２４は、表示部１２１の表示画面のサイズに関する情報をユーザによる設定（受付部１２３を介して設定される）または表示部１２１からの画面サイズデータを受け取ることなどにより、表示部１２１の表示画面のサイズ情報を取得するようにしてもよい。
【００３６】
たとえば、指定オブジェクト全体の実寸法が、表示画面のサイズよりも大きい場合、表示制御部１２４は、画像データにおける指定オブジェクトの一部を、画像データに対して所定の画像処理を行うことにより表示画面に実寸大で表示するように制御する。この場合、表示画面に表示しきれなかった部分はカットされる。表示に際して、表示制御部１２４は、指定オブジェクトを表示画面の中心にして表示してもよい。また、受付部１２３によって所定の部位の指定を受け付けた場合には、当該所定の部位を表示画面の中心にして表示するように制御してもよい。
【００３７】
たとえば、ファインダーフレームの実寸法が表示部１２１の表示画面のサイズよりも小さい場合、表示制御部１２４は、ファインダーフレームを表示画面の中心にして表示するように制御してもよい。この場合、表示制御部１２４は、オリジナルの画像データに、壁紙画像や付加情報（たとえば、ニュース見出し、天気予報などの付加情報に基づく画像や、ＣＭ（コマーシャルメッセージ画像）などの）を組み合わせて、オリジナルの画像データによってあらわされる画像と表示画面とのサイズ差によって生じる隙間に、上述した任意の画像データを表示するように制御してもよい。
【００３８】
（表示装置１２０の表示処理手順）
つぎに、表示装置１２０の表示処理手順について説明する。図２は、表示装置１２０の表示処理手順を示すフローチャートである。図２のフローチャートにおいて、まず、画像データおよび当該画像データにおけるオブジェクトの実寸法データを含むコンテンツを、受信部１２２によってコンテンツ配信装置１１０から受信するまで待って（ステップＳ２０１：Ｎｏ）、受信した場合（ステップＳ２０１：Ｙｅｓ）には、受信されたコンテンツに含まれる画像データに基づいて、上述した等倍画像を、表示制御部１２４によって表示部１２１の表示画面に表示するように制御する（ステップＳ２０２）。
【００３９】
そして、等倍画像を表示してから所定時間以内に、オブジェクトの指定を受付部１２３によって受け付けたか否かを判断し（ステップＳ２０３）、受け付けなかった場合（ステップＳ２０３：Ｎｏ）には、一連の処理を終了する。ここで、所定時間とは、ステップＳ２０２において表示された等倍画像が動画像であれば、たとえば、或る場面の当該等倍画像を表示してから、次の場面の等倍画像を表示するまでの時間に設定することができる。これに対し、ステップＳ２０２において表示された等倍画像が静止画像であれば、たとえば、『１分』や『３０秒』のように視聴者によってあらかじめ設定された任意の時間であってもよい。
【００４０】
ステップＳ２０３において、等倍画像を表示してから所定時間以内に、オブジェクトの指定を受付部１２３によって受け付けた場合（ステップＳ２０３：Ｙｅｓ）には、ステップＳ２０１：Ｙｅｓにおいて受信部１２２によって受信されたコンテンツに含まれる実寸法データのうち、受付部１２３によって指定を受け付けた指定オブジェクトが、表示部１２１の表示画面上で実寸大になるように表示制御部１２４によって表示倍率を調整した画像（変倍画像）を表示するように制御して（ステップＳ２０４）、一連の処理を終了する。
【００４１】
上述したように、実施の形態の表示装置１２０によれば、受信部１２２によって受信されたコンテンツに含まれる画像データにおけるオブジェクトの指定を受付部１２３によって受け付けた場合、受信部１２２によって受信されたコンテンツに含まれる実寸法データのうち指定オブジェクトの実寸法データと表示画面の画面サイズデータとに基づいて、指定オブジェクトを表示画面上で実寸大になるように表示制御部１２４によって表示倍率を調整した画像を表示するように制御することができる。
【００４２】
したがって、表示装置１２０は、コンテンツにおけるオブジェクトを表示画面において実寸法で表示することが可能になる。これによって、視聴者は、コンテンツにおけるオブジェクトが実寸大で表示されることによる臨場感を体感することができる。
【００４３】
また、実施の形態の表示装置１２０によれば、実寸法データを、ファインダーフレームの実寸法に基づいたデータとすることで、オブジェクトと当該オブジェクトを撮影した撮影手段との距離に拘わらず、指定オブジェクトを表示画面上で実寸大になるように表示制御部１２４によって表示倍率を調整した画像を表示するように制御することができる。したがって、表示装置１２０は、オブジェクトと当該オブジェクトを撮影した撮影手段との距離に拘わらず、指定オブジェクトを実寸大で表示画面に表示することができる。これによって、視聴者は、コンテンツにおけるオブジェクトが実寸大で表示されることによる臨場感を体感することができる。
【００４４】
また、実施の形態の表示装置１２０によれば、指定オブジェクトが含まれるファインダーフレームの実寸法が表示画面の寸法よりも大きい場合、表示制御部１２４によって画像データを拡大表示するように制御することができる。したがって、表示装置１２０は、指定オブジェクトが含まれるファインダーフレームの実寸法が表示画面の寸法よりも大きい場合には、指定オブジェクトの一部を表示画面に表示することができる。これによって、視聴者は、指定オブジェクトが含まれるファインダーフレームの実寸法に左右されることなく、コンテンツにおけるオブジェクトが実寸大で表示されることによる臨場感を体感することができる。
【００４５】
また、実施の形態の表示装置１２０によれば、表示制御部１２４は、拡大表示する際に、指定オブジェクトの所定位置を表示画面の中心となるように表示するように制御することができる。したがって、表示装置１２０は、指定オブジェクトが含まれるファインダーフレームの実寸法が表示画面よりも大きい場合には、指定オブジェクトの所定位置を表示画面の中心として実寸法で表示することが可能になる。これによって、視聴者は、指定オブジェクトが含まれるファインダーフレームの実寸法に左右されることなく、コンテンツにおけるオブジェクトが実寸大で表示されることによる臨場感を体感することができる。
【００４６】
また、実施の形態の表示装置１２０によれば、指定オブジェクトが含まれるファインダーフレームの実寸法が表示画面の寸法よりも小さい場合、表示制御部１２４によって画像データを縮小表示するように制御することができる。したがって、表示装置１２０は、指定オブジェクトが含まれるファインダーフレームの実寸法が表示画面の寸法よりも小さい場合には、指定オブジェクトの全体を表示画面に表示することができる。これによって、視聴者は、指定オブジェクトが含まれるファインダーフレームの実寸法に左右されることなく、コンテンツにおけるオブジェクトが実寸大で表示されることによる臨場感を体感することができる。
【００４７】
また、実施の形態の表示装置１２０によれば、表示制御部１２４は、縮小表示する際に、指定オブジェクトの所定位置を表示画面の中心となるように表示するように制御することができる。したがって、表示装置１２０は、ファインダーフレームの実寸法に応じて、適宜見やすい位置に画像を表示することができる。これによって、視聴者は、ファインダーフレームの実寸法に拘わらず、常に見やすい画像を見ながら、コンテンツにおけるオブジェクトが実寸大で表示されることによる臨場感を体感することができる。
【００４８】
また、実施の形態の表示装置１２０によれば、ファインダーフレームの実寸法が表示画面の寸法よりも小さい場合、表示制御部１２４によって画像データによってあらわされる画像の周囲に任意の付加情報に基づく画像データ（たとえば、壁紙データ）を組み合わせて表示するように制御することができる。
【００４９】
したがって、表示装置１２０は、表示画面においてコンテンツに基づく画像が表示されない空間部分が生じる場合にも、ファインダーフレームの実寸法に応じて、空間部分を付加情報の画像によって埋めることができる。これによって、視聴者は、表示画面において何も表示されない空間部分が存在することによる故障の心配などをすることなく、ファインダーフレームの実寸法に拘わらず、コンテンツにおけるオブジェクトが実寸大で表示されることによる臨場感を体感することができる。
【００５０】
なお、上述した実施の形態においては、表示画面を有する表示部１２１を一体に備える表示装置１２０について説明したが、これに限るものではない。図示を省略するが、表示部１２１を備えず、表示画面を有する外部装置を接続し、当該外部装置における表示画面を表示制御部１２４によって制御することで、指定オブジェクトを表示画面上で実寸大になるように表示倍率を調整した表示画像信号を生成する表示制御装置としてもよい。
【００５１】
これにより、表示画面を有する表示部１２１を一体に備えていない場合にも、コンテンツにおけるオブジェクトを表示画面において実寸法で表示するように制御することが可能になり、視聴者は、コンテンツにおけるオブジェクトが実寸大で表示されることによる臨場感を体感することができる。
【実施例】
【００５２】
つぎに、上述した実施の形態の実施例について説明する。この実施例は、上述した実施の形態の実寸大表示システム１００をインターネットに接続されたサーバおよび表示装置１２０によって構成されるネットワークシステムに適用した例である。
【００５３】
（ネットワークシステムの概略構成）
まず、実施例のネットワークシステムの概略構成について説明する。図３は、実施例のネットワークシステムの概略構成を示すブロック図である。図３に示すように、実施例のネットワークシステム３００は、サーバ３１０（図４参照）と、上述した実施の形態にかかる表示装置１２０としてのディスプレイ装置３２０（図６参照）と、を備えている。サーバ３１０およびディスプレイ装置３２０は、インターネットなどの通信回線網を介して、相互に通信が可能である。
【００５４】
（サーバ３１０のハードウエア構成）
まず、サーバ３１０のハードウエア構成について図４を参照して説明する。図４は、サーバ３１０のハードウエア構成を示すブロック図である。図４において、サーバ３１０は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、通信インターフェース（以下、「Ｉ／Ｆ」という）４０８と、を備えている。また、各構成部４０１〜４０８は、バス４０９によってそれぞれ接続されている。
【００５５】
ＣＰＵ４０１は、サーバ３１０全体の制御を司る。ＲＯＭ４０２は、ブートプログラムなどのプログラムを記録している。ＲＡＭ４０３は、ＣＰＵ４０１のワークエリアとして使用される。すなわち、ＣＰＵ４０１は、ＲＡＭ４０３をワークエリアとして使用しながら、ＲＯＭ４０２に記録された各種プログラムを実行することによって、サーバ３１０の全体の制御を司る。
【００５６】
また、磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）を用いることができる。
【００５７】
磁気ディスク４０５には、上述した実施の形態において説明したコンテンツが記録されている。ここで、コンテンツとは、ディスプレイ５１３に表示するための画像データと、当該画像データにおけるオブジェクトの実寸法データとを含んでいる。画像データは、複数のピクチャーデータによって構成されている。１つのピクチャーデータは、ディスプレイ５１３に１つの静止画像を表示させるためのデータである。
【００５８】
画像データは、動画像データであっても静止画像データであってもよい。コンテンツに含まれる画像データが動画像データである場合、複数のピクチャーデータを用いて、ディスプレイ５１３に表示させる静止画像を高速で切替えることにより、ディスプレイ５１３に動画を表示することができる。
【００５９】
また、オブジェクトとは、上述した実施の形態で説明したように、具体的な形をもって空間に存在する物体であり、画像においてオブジェクトとその周囲、あるいは、オブジェクトとそれ以外の物体、のようにオブジェクトを独立して区別することが可能な物体である。具体的には、コンテンツは、たとえば、テレビ番組やインターネット上のプロバイダのサーバなどにダウンロード可能に記録されたデジタルコンテンツである。
【００６０】
また、実寸法データは、画像データを構成するピクチャーデータごとに、関連付けられている。ここで、実寸法データとは、ピクチャーデータによってあらわされるファインダーフレーム内のオブジェクトの実空間における実寸法をあらわすデータである。すなわち、椅子に腰掛けた人物がオブジェクトである場合、当該人物の身長が１７５ｃｍであっても、実寸法データは１７５ｃｍよりも小さい数値となる。
【００６１】
実寸法データは、ファインダーフレームの実寸法をあらわす実寸法データを含んでいる。オブジェクトの実寸法データは、オブジェクトを面内に含むファインダーフレームの実寸法とオブジェクトの実寸法との比率によってあらわわれる。なお、オブジェクトの実寸法データは、たとえば、オブジェクトの実寸法を直接的にあらわす数値データであってもよい。この場合、実寸法データは、コンテンツの作成者などによって入力さる。画像データにおいて、オブジェクトが複数存在する場合、上述した方法を用いていずれか１つのオブジェクトの実寸法が分かれば、オブジェクト間の実寸法の比率によって複数のオブジェクトの実寸法をそれぞれあらわすこともできる。
【００６２】
実寸法データは、たとえば、オブジェクトの実寸法を基準となる物体（以下、「基準物体」という）に対する比率をあらわすデータであってもよい。ここで、オブジェクトの実寸法は、基準物体の実寸法が分かれば、オブジェクトの実寸法を直接的にあらわすデータに限らず、基準物体の実寸法とオブジェクトの実寸法との比率によってあらわすことができる。画像データによってあらわされる画像において基準物体が存在しない、すなわち、オブジェクトのみを撮影した画像である場合、実寸法データは、オブジェクトを面内に含むファインダーフレームの実寸法とオブジェクトの実寸法との比率によってあらわすことができる。
【００６３】
磁気ディスク４０５には、磁気ディスク４０５に記録された音声情報およびコンテンツの一覧をあらわす一覧情報が記録されていてもよい。一覧情報は、提供可能な音声情報やコンテンツの数、タイトル、各音声情報の属性をあらわす情報を、コンテンツごとに分類して一覧させることが可能な情報である。
【００６４】
また、光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。
【００６５】
また、通信Ｉ／Ｆ４０８は、無線を介して通信回線網に接続され、通信回線網に接続されたＰＣとＣＰＵ４０１とのインターフェースとして機能する。通信回線網には、ＬＡＮ、ＷＡＮ、公衆回線網や携帯電話網などがある。
【００６６】
（ディスプレイ装置３２０のハードウエア構成）
つぎに、この実施例のディスプレイ装置３２０のハードウエア構成について説明する。図５は、ディスプレイ装置３２０のハードウエア構成を示すブロック図である。図５において、ディスプレイ装置３２０は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、通信Ｉ／Ｆ５０８と、音声Ｉ／Ｆ５０９と、マイク５１０と、スピーカ５１１と、映像Ｉ／Ｆ５１２と、ディスプレイ５１３と、入力デバイス５１４と、を備えている。また、各構成部５０１〜５１４はバス５１５によってそれぞれ接続されている。
【００６７】
まず、ＣＰＵ５０１は、ディスプレイ装置３２０の全体の制御を司る。ＲＯＭ５０２は、ブートプログラム、表示プログラムなどのプログラムを記録している。ＲＡＭ５０３は、ＣＰＵ５０１のワークエリアとして使用される。すなわち、ＣＰＵ５０１は、ＲＡＭ５０３をワークエリアとして使用しながら、ＲＯＭ５０２に記録された各種プログラムを実行することによって、ディスプレイ装置３２０の全体の制御を司る。
【００６８】
ここで、表示プログラムとは、ＣＰＵ５０１によって実行されることにより、画像データと当該画像データにおけるオブジェクトの実寸法データとを含むコンテンツを外部装置から受信させ、受信されたコンテンツに含まれる画像データにおけるオブジェクトの指定を受け付けさせる。また、外部装置から受信されたコンテンツに含まれる実寸法データのうち、指定を受け付けたオブジェクト（以下、「指定オブジェクト」という）の実寸法データに基づいて、指定オブジェクトをディスプレイ５１３上で実寸大になるように表示倍率を調整した画像を表示させるプログラムである。
【００６９】
また、表示プログラムは、ＣＰＵ５０１によって実行されることにより、指定オブジェクトをディスプレイ５１３の中心になるように表示させるプログラムである。さらに、表示プログラムは、指定オブジェクト上の所定の部位の指定を受け付けさせ、ファインダーフレームの実寸法がディスプレイ５１３の寸法よりも大きい場合に、指定を受け付けた所定の部位をディスプレイ５１３の中心にして表示させるプログラムである。
【００７０】
表示プログラムは、ファインダーフレームの実寸法が前記表示画面の寸法よりも小さい場合に、ファインダーフレームをディスプレイ５１３の中心にして表示させるプログラムである。表示プログラムは、受信されたコンテンツに含まれる画像データ全体のファインダーフレームの実寸法がディスプレイ５１３の寸法よりも小さい場合に、画像データによってあらわされる画像の周囲に任意の壁紙データを組み合わせて表示させるプログラムである。
【００７１】
また、磁気ディスクドライブ５０４は、ＣＰＵ５０１の制御にしたがって磁気ディスク５０５に対するデータの読み取り／書き込みを制御する。磁気ディスク５０５は、磁気ディスクドライブ５０４の制御で書き込まれたデータを記録する。具体的には、磁気ディスクドライブ５０４は、たとえば、テレビ番組やラジオ番組などの各種のコンテンツを、磁気ディスク５０５に記録する。磁気ディスク５０５としては、たとえば、ＨＤ（ハードディスク）やＦＤ（フレキシブルディスク）を用いることができる。
【００７２】
また、光ディスクドライブ５０６は、ＣＰＵ５０１の制御にしたがって光ディスク５０７に対するデータの読み取り／書き込みを制御する。光ディスク５０７は、光ディスクドライブ５０６の制御にしたがってデータの読み出される着脱自在な記録媒体である。上述したテレビ番組やラジオ番組などの各種のコンテンツは、光ディスク５０７に記録されていてもよい。なお、光ディスク５０７には、書き込み可能な記録媒体を利用することもできる。着脱可能な記録媒体としては、光ディスク５０７のほか、メモリカードなどを用いてもよい。
【００７３】
また、通信Ｉ／Ｆ５０８は、通信ケーブルあるいは無線を介してインターネットなどの通信網に接続され、この通信網とＣＰＵ５０１とのインターフェースとして機能する。上述したサーバ３１０からインターネットを介して配信されたコンテンツは、通信Ｉ／Ｆ５０８によって受信されて、ディスプレイ装置３２０に取り込まれる。
【００７４】
通信Ｉ／Ｆ５０８は、さらに、テレビチューナー、ＢＳチューナー、ＦＭチューナーなどを備えている。テレビ局から放映されるテレビ番組、ラジオ局から放送されるラジオ番組などのコンテンツを受信することも可能である。また、音声Ｉ／Ｆ５０９は、音声入力用のマイク５１０および音声出力用のスピーカ５１１に接続される。マイク５１０に受音された音声は、音声Ｉ／Ｆ５０９内でＡ／Ｄ変換される。また、スピーカ５１１からは音声が出力される。
【００７５】
また、映像Ｉ／Ｆ５１２は、ディスプレイ５１３と接続される。映像Ｉ／Ｆ５１２は、具体的には、たとえば、ディスプレイ５１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ５１３を表示制御する制御ＩＣなどによって構成される。ディスプレイ５１３には、アイコン、カーソル、メニュー、ウインドウ、あるいは文字や画像などの各種データが表示される。このディスプレイ５１３は、たとえば、ＣＲＴ、ＴＦＴ液晶ディスプレイ、プラズマディスプレイなどを採用することができる。
【００７６】
また、入力デバイス５１４は、文字、数値、各種指示などの入力のための複数のキーを備えたリモコン、キーボード、マウス、タッチパネルなどが挙げられる。入力デバイス５１４は、ディスプレイ５１３に通常の画像を表示するための各種のスイッチに加えて、ディスプレイ装置３２０における各種設定をおこなうための設定スイッチや、コンテンツにおけるオブジェクトを実寸大で表示させるための各種操作をおこなう実寸表示スイッチなどを備えている（図６参照）。
【００７７】
図示を省略するが、設定スイッチは、たとえば、ディスプレイ装置３２０の初期設定をおこなう場合に操作される。設定スイッチが操作された場合、ディスプレイ５１３には、設定可能な機能や条件などをあらわす一覧表などが表示される。一覧表に表示された機能や条件は、入力デバイス５１４に設けられた各種のスイッチを用いて選択し、機能ごとに設定をおこなうことが可能である。具体的には、たとえば、ディスプレイ５１３のサイズを設定することができる。
【００７８】
ここで、実寸表示スイッチの一例について説明する。図６は、実寸表示スイッチの一例を示す平面図である。図６に示すように、実寸表示スイッチ６００は、オブジェクト選択用のカーソルキー６０１、６０２と、部位選択用のカーソルキー６０３、６０４と、リセットキー６０５と、を備えている。
【００７９】
上述したＣＰＵ５０１は、オブジェクト選択用のカーソルキー６０１が操作されるごとに、ディスプレイ５１３に表示された画像において選択対象となるオブジェクトを、ディスプレイ５１３の左方向に順次切替えるように、映像Ｉ／Ｆ５１２を制御する。ディスプレイ５１３の左端に位置するオブジェクトのつぎに選択対象となるオブジェクトは、ディスプレイ５１３の右端のオブジェクトである。同様に、上述したＣＰＵ５０１は、カーソルキー６０２が操作されるごとに選択対象となるオブジェクトをディスプレイ５１３の右方向に順次切替える。
【００８０】
上述したＣＰＵ５０１は、部位選択用のカーソルキー６０３が操作されるごとに、カーソルキー６０３が操作されたタイミングで選択されていたオブジェクトにおける部位を、ディスプレイ５１３の上方向に順次切替えるように、映像Ｉ／Ｆ５１２を制御する。ディスプレイ５１３の上端に位置する部位のつぎに選択対象となる部位は、同一オブジェクトにおいてディスプレイ５１３の下端に位置する部位である。
【００８１】
同様に、上述したＣＰＵ５０１は、カーソルキー６０４が操作されるごとに選択対象となる部位をディスプレイ５１３の下方向に順次切替える。ここで、部位とは、各オブジェクトにおいて、ディスプレイ５１３の中心に表示させたい部位であり、オブジェクトごとにあらかじめ１あるいは複数設定されている。
【００８２】
上述したＣＰＵ５０１は、リセットキー６０５が操作された場合、ディスプレイ５１３に表示している画像に拘わらず、ディスプレイ５１３に等倍画像が表示されるように、映像Ｉ／Ｆ５１２を制御する。これによって、いずれのタイミングでも、ただちに等倍画像を表示させることができる。
【００８３】
つぎに、実寸表示スイッチ６００に対する操作内容と、ディスプレイ５１３に表示される表示内容との関係について説明する。図７は、表示画面の一例を示す説明図である。図７においては、等倍画像が表示されたディスプレイ５１３が示されている。図７の表示画面７００において、符号７０１、７０２はそれぞれオブジェクトとなる人物をあらわしている。また、符号７０３、７０４はオブジェクト７０１における部位をあらわしており、オブジェクト選択用のカーソルキー６０１あるいは７０２が操作されることによって、オブジェクト７０１が選択された場合に限り表示される。
【００８４】
すなわち、表示画面７００は、オブジェクト選択用のカーソルキー６０１が操作されることにより、オブジェクト７０１が選択された場合に表示される。表示画面７００においては、オブジェクト７０１が選択された状態で部位選択用のカーソルキー６０３が操作されることにより、オブジェクト７０１において選択された部位７０３が、その他の部位７０４よりも強調して表示されている。
【００８５】
つぎに、実寸表示スイッチ６００の操作に応じて表示内容を変更する方法の一例について説明する。図８は、コンテンツに含まれるデータの一例を示す説明図である。具体的には、図８に示すデータ８００は、図７の表示画面７００を表示するためのピクチャーデータに関するデータである。図８に示すように、ピクチャーデータには、当該ピクチャーデータによってあらわされる画像におけるオブジェクトの実寸法データや部位データが記述されたプロファイル８０１、８０２の集合であるデータ８００が関連付けられている。
【００８６】
たとえば、実寸法データ８００の一部であるプロファイル８０１において、大きさデータは、ディスプレイ５１３の垂直方向におけるオブジェクト７０１の物理的長さをあらわしている。ここで、大きさデータとは、オブジェクト８０１である人物Ａの身長ではなく、或るピクチャーにおける人物Ａの垂直方向に占める物理的長さをあらわしている。
【００８７】
データ８００は、ピクチャーデータごとにそれぞれ設けられており、実寸法データであるプロファイル８０１、８０２の内容は、１つのオブジェクト７０１に関するプロファイルであっても、ピクチャーデータごとに異なる。また、プロファイルの数も、ピクチャーデータにおけるオブジェクトの数Ｎに応じて、ピクチャーデータごとに異なる。具体的には、たとえば映像の１フレーム毎（ＮＴＳＣ方式では１／３０秒毎の静止画像）に変化させてもよいし、ＭＰＥＧ２などの動画を構成している最小の単位構造であるＧＯＰ（Ｇｒｏｕｐ  Ｏｆ  Ｐｉｃｔｕｒｅ）毎に変化させてもよい。
【００８８】
各オブジェクトには、ピクチャーデータごとに、それぞれ１〜ｎまでのオブジェクト番号が付与されている。各ピクチャーデータにおいて、オブジェクト番号ｎの最大値は、Ｎである。また、各オブジェクトにおける各部位には、それぞれ１〜ｍまでの部位番号が付与されている。各オブジェクトにおいて、部位データの最大値は、Ｍである。
【００８９】
各プロファイル８０１、８０２における部位データは、それぞれ、ディスプレイ５１３の中心に表示させたい部位を、画像全体に対する座標としてあらわす。上述したように、部位データの数Ｍは、オブジェクトごとに１あるいは複数設定されている。プロファイル８０１、８０２内には、オブジェクトを含む各ファインダーフレーム（サブファインダーフレーム）の高さを、それぞれ記述するようにしてもよい。なお、ファインダーフレーム（サブファインダーフレーム）の高さについては、説明を後述する。
【００９０】
プロファイル８０１、８０２は、オブジェクト７０１、７０２ごとにそれぞれ設けられている（プロファイル８０１はオブジェクト７０１に対するものであり、プロファイル８０２はオブジェクト７０２に対するものである）。データ上においては、オブジェクト選択用のカーソルキー６０１または６０２が操作されることにより、選択対象となるプロファイル８０１、８０２が順次切り替わる。上述したＣＰＵ５０１は、選択対象となるプロファイル８０１あるいは８０２に応じて、映像Ｉ／Ｆ５１２を制御する。そして、オブジェクト選択用のカーソルキー７０３または７０４が操作されることによりプロファイル８０１あるいは８０２内の部位データが順次切り替わる。
【００９１】
また、入力デバイス５１４に対する所定の操作によって、上述した大きさデータを、数値の形態でディスプレイ５１３上にハイライト表示するようにしても良い。この場合、具体的には、たとえば、ディスプレイ５１３上で実寸大表示されているオブジェクトの物理データ（長さ、質量など）をあらわす数値を、ディスプレイ５１３上に表示する。
【００９２】
なお、図１に示した表示装置１２０における表示部１２１、受信部１２２、受付部１２３、表示制御部１２４は、図５に示したディスプレイ装置３２０におけるＲＯＭ５０２、ＲＡＭ５０３、磁気ディスク５０５、光ディスク５０７などに記録されたプログラムやデータを用いて、ＣＰＵ５０１が所定のプログラムを実行し、ディスプレイ装置３２０における各部を制御することによってその機能を実現する。
【００９３】
すなわち、この実施例のディスプレイ装置３２０は、ディスプレイ装置３２０における記録媒体に記録されている表示プログラムにより、図１に示した表示装置１２０が備える機能を、図２に示した表示処理手順で実行することができる。
【００９４】
（サーバ３１０の機能的構成）
つぎに、サーバ３１０の機能的構成について説明する。図９は、ディスプレイ装置３２０の機能的構成を示すブロック図である。図９においては、サーバ３１０が備える各種機能のうち、コンテンツの送信に関する機能について説明する。図９に示すように、サーバ３１０は、符号化部９０１〜９０３と、最適化部９０４と、パケット化／多重化部９０５と、変調部９０６と、送信部９０７と、を備えている。
【００９５】
符号化部９０１は、映像信号を符号化する。ここで、映像信号とは、上述した画像データに基づいて生成された電気信号である。符号化部９０２は、音声信号を符号化する。ここで、音声信号とは、上述した画像データに関連する音声データに基づいて生成された電気信号である。符号化部９０３は、データ信号を符号化する。ここで、データ信号とは、デジタル放送において放送局などから送信するデータのうち、画像データおよび音声データ以外のデータである符号データに基づいて生成された電気信号である。
【００９６】
最適化部９０４は、上述した実寸法データを最適化する。実寸法データ以外のユーザデータが入力されている場合、最適化部９０４は、実寸法データおよびユーザデータを併せて最適化する。上述した符号化部９０１は、最適化部９０４によって最適化された各種データと映像信号とを符号化する。
【００９７】
パケット化／多重化部９０５は、符号化部９０１〜１００３によって符号化された各種信号をパケット化するとともに多重化したコンテンツを生成する。変調部９０６は、パケット化／多重化部９０５によって生成されたコンテンツを、直交周波数分割多重変調（ＯＤＦＭ）する。ＯＤＦＭは、デジタル変調方式の一種であり、パケット化／多重化部９０５によって生成されたコンテンツを、多数の搬送波を利用して伝達するための変調をおこなう。送信部９０７は、変調部９０６によって変調されたコンテンツを、インターネットなどのネットワークを介してディスプレイ装置３２０へ出力する。
【００９８】
ここで、符号化部９０３が符号化するデータの構造について説明する。図１０は、データの構造を示す説明図である。図１０においては、符号化部９０３が符号化するデータの構造が示されている。図１０に示すように、符号化部９０３が符号化するデータ１０００は、『シーケンスヘッダ』データ１００１、『シーケンスエクステンション』データ１００２、『エクステンション＆ユーザ』データ１００３、『グループピクチャーヘッダ』データ１００４、『ユーザデータ』データ１００５、『ピクチャーヘッダ』データ１００６、『ピクチャー  コーディングエクステンション』データ１００７、『エクステンション＆ユーザ』データ１００８、『ピクチャーデータ』データ１００９、『シーケンスエンド』データ１０１０の各種データによって構成されている。
【００９９】
各種データ１００１〜１０１０については、地上波デジタル放送の技術分野などに代表されるように、公知の技術であるため説明を省略するが、上述した実寸法データ（図８参照）は、『ユーザデータ』データ１００５の一部として記述される。
【０１００】
（ディスプレイ装置３２０の機能的構成）
つぎに、ディスプレイ装置３２０の機能的構成について説明する。図１１は、ディスプレイ装置３２０の機能的構成を示すブロック図である。図１１において、ディスプレイ装置３２０は、受信部１１０１と、復調部１１０２と、多重分離処理部１１０３と、音声復号部１１０４と、音声メモリ部１１０５と、映像復号部１１０６と、映像メモリ部１１０７と、符号復号部１１０８と、実寸法データ検出部１１０９と、実寸法メモリ部１１１０と、データメモリ部１１１１と、表示倍率演算部１１１２と、サイズメモリ部１１１３と、出力部１１１４と、を備えている。
【０１０１】
まず、受信部１１０１は、サーバ３１０から送信されたコンテンツを受信する。復調部１１０２は、上述した変調部９０６における変調と同じ方式を用いて、受信部１１０１によって受信されたコンテンツを復調する。多重分離処理部１１０３は、復調部１１０２によって復調されたコンテンツを、映像信号および音声信号とそれ以外の信号とに分離する。
【０１０２】
また、音声復号部１１０４は、多重分離処理部１１０３によって分離された音声信号を復号して、音声データを生成する。音声メモリ部１１０５は、音声復号部１１０４によって生成された音声データを記憶する。映像復号部１１０６は、多重分離処理部１１０３によって分離された映像信号を復号し、画像データを生成する。映像メモリ部１１０７は、映像復号部１２０によって生成された画像データを記憶する。
【０１０３】
また、符号復号部１１０８は、多重分離処理部１１０３によって分離された信号のうち、映像信号および音声信号以外の信号を復号する。実寸法データ検出部１１０９は、符号復号部１１０８による信号の復号によって生成されたデータから、実寸法データを検出する。加えて、実寸法データ検出部１１０９は、符号復号部１１０８による信号の復号によって生成されたデータから、オブジェクトを面内に含む各ファインダーフレーム（サブファインダーフレーム）の高さ方向の寸法Ｈ（Ｈｓ）や、各部位データによってあらわされる座標を検出する。
【０１０４】
また、実寸法メモリ部１１１０は、実寸法データ検出部１１０９によって検出された実寸法データや、ファインダーフレーム（サブファインダーフレーム）の高さ方向の寸法Ｈ（Ｈｓ）を記憶する。データメモリ部１１１１は、符号復号部１１０８による信号の復号によって生成されたデータのうち、たとえば、符号データなど、実寸法データ以外のデータを記憶する。
【０１０５】
表示倍率演算部１１１２は、画像データにおけるオブジェクトのうち、入力デバイス５１４における実寸表示スイッチ６００の操作によって選択されたオブジェクト７０１、７０２を、ディスプレイ５１３に実寸法で表示するために、画像データの表示倍率を調整するための表示倍率を算出する。
【０１０６】
表示倍率の算出に際して、表示倍率演算部１１１２は、実寸法メモリ部１１１０に記憶された実寸法データと、映像メモリ部１１０７によって記憶された画像データと、ディスプレイ５１３のサイズデータと、を用いる。ディスプレイ５１３のサイズデータは、たとえば、ＲＯＭ５０２などに設けられたサイズメモリ部１１１３に記憶されている。
【０１０７】
出力部１１１４は、音声メモリ部１１０５によって記憶された音声データ、映像メモリ部１１０７によって記憶された画像データ、データメモリ部１１１１に記憶された符号データを、それぞれのタイミングを調整しながら出力する。具体的には、たとえば、ＣＰＵ５０１によって音声Ｉ／Ｆ５０９や映像Ｉ／Ｆ５１２を制御することで、スピーカ５１１から音声を出力するとともに、ディスプレイ５１３に画像や文字情報を表示する。
【０１０８】
（サーバ３１０の処理手順）
つぎに、サーバ３１０の処理手順について説明する。図１２は、サーバ３１０の処理手順を示すフローチャートである。図１２のフローチャートにおいて、まず、コンテンツの生成に必要な各種データを取得し（ステップＳ１２０１）、取得されたデータを用いて符号化をおこなう（ステップＳ１２０２）。
【０１０９】
そして、ステップＳ１２０２において符号化したデータをパケット化してから多重化する（ステップＳ１２０３）。多重化されたデータをＯＤＦＭ変調して（ステップＳ１２０４）から、送信する（ステップＳ１２０５）。
【０１１０】
（ディスプレイ装置３２０の処理手順）
つぎに、ディスプレイ装置３２０の処理手順について説明する。図１３は、ディスプレイ装置３２０の処理手順を示すフローチャートである。図１３に示す処理は、サーバ３１０から配信されたコンテンツに含まれる画像データに基づいて、或る１つのピクチャーデータがディスプレイ５１３に表示されている場合に実行される。
【０１１１】
図１３のフローチャートにおいて、まず、サーバ３１０から配信されたコンテンツを受信するまで待って（ステップＳ１３０１：Ｎｏ）、受信した場合（ステップＳ１３０１：Ｙｅｓ）には、受信されたコンテンツに含まれる画像データを用いて、ディスプレイ５１３に等倍画像を表示する（ステップＳ１３０２）。そして、等倍画像を表示してから所定時間内に、ディスプレイ５１３に表示された画像におけるオブジェクトの指定を受け付けたか否かを判断する（ステップＳ１３０３）。指定を受け付けなかった場合（ステップＳ１３０３：Ｎｏ）には、一連の処理を終了する。
【０１１２】
ステップＳ１３０３において、等倍画像を表示してから所定時間内に、オブジェクトの指定を受け付けた場合（ステップＳ１３０３：Ｙｅｓ）には、指定を受け付けたオブジェクト（以下、「指定オブジェクト」という）を面内に含むファインダーフレームの実寸法データとディスプレイ５１３の寸法データとを用いて表示倍率を算出し（ステップＳ１３０４）、算出された表示倍率にしたがってステップＳ１３０２において表示された画像を変倍した変倍画像をディスプレイ５１３に表示して（ステップＳ１３０５）、一連の処理を終了する。
【０１１３】
つぎに、撮像手段におけるレンズの焦点距離と画角との関係について説明する。図１４は、レンズの焦点距離と画角との関係を示す説明図である。図１４においては、撮影手段から水平方向に所定距離離れた位置に存在する対象を撮影した場合の、垂直方向の画角について示されている。図１４に示すように、焦点距離がＦであるレンズを用いて撮影されたオブジェクトの撮像面における高さ方向の寸法がＸである場合、焦点距離Ｆおよび寸法Ｘとレンズの画角θとの関係は、以下に示す（１）式によってあらわされる。なお、図１５中符号１４０２は、レンズの焦点位置をあらわしている。
【０１１４】
ｔａｎ（θ／２）＝（Ｘ／２）／Ｆ
＝Ｘ／（２Ｆ）    ・・・（１）
【０１１５】
したがって、（１）式より、画角θは、以下に示す（２）式によってあらわされる。
【０１１６】
θ＝２・ａｒｃｔａｎ（Ｘ／（２Ｆ））  ［ｒａｄ］
＝（１８０／π）×２・ａｒｃｔａｎ（Ｘ／（２Ｆ））  ［ｄｅｇ］・・・（２）
【０１１７】
つぎに、撮影手段による撮影が可能な範囲（ファインダーフレーム）の寸法と実空間における実際の寸法との関係について説明する。図１５は画像の一例を示す説明図であり、図１６はファインダーフレームの寸法について説明する説明図である。図１５および図１６においては、或る位置に存在する撮影手段（撮影者）が、上述した画角θのレンズを用いて、当該レンズの焦点位置から水平方向に距離Ｌ離れている対象を撮影する場合の、撮影手段による撮影が可能な高さ方向の寸法と実空間における実際の高さ方向の寸法との関係について示されている。
【０１１８】
レンズの焦点位置から対象までの水平方向における距離がＬである場合、図１５に示すファインダーフレーム１５０１の高さ方向の寸法Ｈは、以下に示す（３）式によってあらわされる。なお、図１５中符号１５０２は、ファインダーフレーム１５０１内の対象をあらわしている。
【０１１９】
Ｈ＝２Ｌ・ｔａｎ（θ／２）
＝２Ｌ・ｔａｎ（（１８０／π）×２・ａｒｃｔａｎ（Ｘ／（２Ｆ））／２）
・・・（３）
【０１２０】
（３）式より、寸法Ｘ、距離Ｌ、焦点距離Ｆが既知であればファインダーフレーム１６０１の高さ方向の寸法Ｈを求めることができる。寸法Ｘはすでに寸法（長さ）が判っている基準物体を対象が存在するファインダーフレーム内に位置させておくとして予め求めることができ、距離Ｌを数々の測定手段を用いて実測することにより求めることができる。焦点距離Ｆについてもカメラのレンズ仕様から既知である。よって、ファインダーフレーム１６０１の高さ方向の寸法Ｈを撮影をおこないながらリアルタイムに求めることが可能となる。
【０１２１】
また、（３）式より、ファインダーフレーム１５０１の高さ方向の寸法Ｈは、レンズの焦点距離Ｆおよびレンズの焦点位置から撮影対象までの水平方向における距離Ｌに依存することが分かる。このため、たとえば、ズーム機能を利用して対象を撮影した画像であっても、レンズの焦点距離Ｆが分かれば、いずれの焦点距離Ｆを有するレンズを用いた場合にも、ファインダーフレーム１５０１の高さ方向の寸法Ｈを算出することができる。
【０１２２】
ところで、ファインダーフレーム１５０１内に存在するオブジェクトは、実空間において、レンズの焦点位置から対象までの間で、レンズの焦点位置からファインダーフレーム１５０１に向かって拡開する錐形状の仮想的な空間内に存在するオブジェクトである。ここで、図１７は、サブファインダーフレームのサイズについて説明する説明図である。
【０１２３】
サブファインダーフレームとは、図１７に示す様に、レンズの焦点位置１７０１と上述したファインダーフレーム１５０１によって枠取られる平面に平行な複数の平面のうち、上述した錐形状の仮想的な空間によって枠取られる領域をあらわす。図１７に示すサブファインダーフレーム１７０３、１７０４は、ファインダーフレーム１５０１の形状に対して相似関係を保ちながら、レンズの焦点位置１７０１に近いほどサイズが小さくなる。
【０１２４】
図１７においては、サブファインダーフレーム１７０３の高さ方向の寸法Ｈ１よりも、レンズの焦点位置１７０１に近いサブファインダーフレーム１７０４の高さ方向の寸法Ｈ２の方が小さい。たとえば、対象１、２の実寸法データを、それぞれ、サブファインダーフレーム１７０３、１７０４の実寸法に対するオブジェクトの実寸法の比率によってあらわす場合、対象１、２の実寸法が同じであっても、実寸法データはそれぞれ異なる。
【０１２５】
つぎに、表示倍率の算出方法について説明する。表示倍率は、選択対象となるオブジェクトを面内に含むサブファインダーフレームの実寸法Ｈｓと、ディスプレイ５１３の寸法Ｈｄと、の大小関係によって、「Ｈｓ＞Ｈｄ」、「Ｈｓ＝Ｈｄ」、「Ｈｓ＜Ｈｄ」の３つのパターンに分けられる。ここでは、サブファインダーフレームの実寸法Ｈｓおよびディスプレイ５１３の寸法Ｈｄは、垂直方向における寸法とする。以下に説明される表示の方法のプログラムはＲＯＭ５０２に記憶されており、ＣＰＵ５０１で実行されるものである。
【０１２６】
まず、１つ目のパターンである「Ｈｓ＞Ｈｄ」である場合について説明する。図１８は、表示倍率の算出方法について説明する説明図（その１）である。図１８においては、図１７における対象２（符号１８０１で示す）を面内に含むサブファインダーフレーム１７０４の高さ方向の実寸法Ｈ２と、ディスプレイ５１３の寸法Ｈｄとの大小関係が示されている。
【０１２７】
図１８に示すように、サブファインダーフレーム１７０４に関するピクチャーデータを加工せずに（等倍で）ディスプレイ５１３に表示すると、一般的なテレビ受像機と同様にディスプレイ５１３には、対象２の実寸法Ｈ２に対してＨｄ／Ｈｓ＝Ｈｄ／Ｈ２の比率で縮小されたオブジェクト１８０２を含む表示画面１８０３が表示されることになる。このため、「Ｈｓ＞Ｈｄ」である場合には、縮小比率の逆比率であるＨｓ／Ｈｄを表示倍率として算出する。これにより、選択されたオブジェクト１８０１を拡大して、ディスプレイ５１３上で実寸大になるように表示倍率を調整した画像を表示することができる。
【０１２８】
ところで、「Ｈｓ＞Ｈｄ」である場合、オブジェクト１８０１を拡大することにより、オブジェクトの一部がディスプレイ５１３からはみ出してしまうことがある。具体的には、たとえば、等倍表示された画像の端部に位置するオブジェクトを実寸法で表示させるために拡大したにも拘わらず、等倍表示された画像の中央を中心として拡大した場合には、目的とするオブジェクト１８０１がディスプレイ５１３に表示されないことが想定される。
【０１２９】
このような場合、上述した実寸表示スイッチ６００を操作して、所望のオブジェクトにおける所望の部位をディスプレイ５１３の中心に表示させることができる。ここで、図１９は、表示倍率の調整について説明する説明図（その１）である。図１９においては、ディスプレイ５１３において、ピクチャーデータが等倍表示された表示画面１８０３とオブジェクト１９０２が拡大表示された表示画面１９０３とが示されている。
【０１３０】
図１９に示すように、ピクチャーデータが等倍表示された表示画面１８０３における拡大中心点１９０１を指定することで、表示画面１９０３に示すように、指定されたオブジェクト１９０２あるいは当該オブジェクト１９０２における特定の部位を、確実にディスプレイ５１３に表示させることができる。もちろん、実寸大表示モードのときには、デフォルトとして実寸法データ中に記述されている最初の部位の表示位置座標を画面の中心として表示するように、表示制御部にデフォルトに設定しておいてもよい。
【０１３１】
つぎに、２つ目のパターンである「Ｈｓ＝Ｈｄ」である場合について説明する。図示を省略するが、この場合、サブファインダーフレーム１７０４に関するピクチャーデータを等倍で（特別な画像処理を行うことなく）ディスプレイ５１３に表示することで、選択されたオブジェクト１８０１がディスプレイ５１３上で実寸大になるような画像を表示することができる。
【０１３２】
つぎに、３つ目のパターンである「Ｈｓ＜Ｈｄ」である場合について説明する。図２０は、表示倍率の算出方法について説明する説明図（その２）である。図２０においては、図１８における対象２（符号１８０１で示す）を面内に含むサブファインダーフレーム１７０４の高さ方向の実寸法Ｈ２と、ディスプレイ５１３の寸法Ｈｄとの大小関係が示されている。
【０１３３】
図２０に示すように、サブファインダーフレーム１７０４に関するピクチャーデータを等倍でディスプレイ５１３に表示すると、ディスプレイ５１３には、対象２の実寸法Ｈ２に対してＨｓ／Ｈｄ＝Ｈ２／Ｈｄの比率で拡大されたオブジェクト２００２、すなわち、実空間における実寸法よりも拡大されたオブジェクト２００２を含む表示画面２００３が表示されることになる。
【０１３４】
このため、「Ｈｓ＜Ｈｄ」である場合には、拡大比率の逆比率であるＨｄ／Ｈｓを表示倍率として算出する。ここで、図２１は、表示倍率の調整について説明する説明図（その２）である。図２１に示すように、算出された表示倍率Ｈｄ／Ｈｓを用いることで、拡大表示されたオブジェクト２００２を縮小して、実寸大になるように表示倍率を調整したオブジェクト２１０２を含む表示画面２１０３を表示することができる。
【０１３５】
ところで、「Ｈｓ＜Ｈｄ」である場合、等倍表示された画像を縮小することにより、画像全体のサイズがディスプレイ５１３のサイズよりも小さくなってしまう。このような場合、図２１に示すように、オリジナル画像をディスプレイ５１３の中央部分に表示し、ディスプレイ５１３のサイズとオリジナル画像のサイズとの差分には、あらかじめ設定された壁紙２１０１を表示させる。
【０１３６】
壁紙２１０１の模様は、ディスプレイ装置３２０の製造時に一意に設定されていてもよいし、上述した実寸表示スイッチ６００を操作することによって、視聴者が任意の壁紙データを選択することができるようにしてもよい。また、表示画面２１０３における画像の表示位置もディスプレイ５１３の中央部分に限るものではなく、たとえば、画像の下端とディスプレイ５１３の下端とをそろえて表示させるようにしてもよい。
【０１３７】
また、壁紙２１０１のような模様ではなく、たとえば、受信したニュースに関する見出し、天気予報、ＣＭ（コマーシャルメッセージ）、ネットワークでつながっている家電製品の状態（ＯＮ／ＯＦＦなど）などの情報に基づく付加画像を、ディスプレイ５１３に表示させるようにしてもよい。ディスプレイ５１３において、付加画像は、壁紙２１０１に代えて、あるいは、壁紙２１０１に重畳して表示するようにしてもよい。ディスプレイ５１３に付加画像を表示するための付加画像データは、ディスプレイ装置３２０において生成してもよいし、外部装置から受信した情報を用いてもよい。
【０１３８】
なお、実寸法は、ファインダーフレーム１５０１の高さ方向の寸法Ｈ（あるいは、サブファインダーフレーム１７０３、１７０４の高さ方向の寸法Ｈｓ＝Ｈ１、Ｈ２）に対するオブジェクトの寸法の比率によってあらわされるものに限らない。たとえば、撮影対象の実寸法を、測定によって取得してもよい。実寸法は、たとえば、以下に説明する方法を用いて、比較的容易に測定することができる。
【０１３９】
図２２は、撮影対象の実寸法の測定方法について説明する説明図である。図２２においては、撮影対象の縦（高さ）方向の実寸法の測定方法について説明する。上述したように、撮影手段におけるレンズの焦点距離Ｆは撮影時点で分かるため、レンズの焦点位置１７０１から撮影対象までの距離Ｌおよびレンズの焦点位置１７０１を中心として撮影対象の高さ方向における両端部までの開口角度が分かれば、撮影対象の実寸法Ｈ（Ｒ）を計測することができる。
【０１４０】
具体的には、たとえば、図２２における対象２が測定対象である場合、レンズの焦点位置１７０１から対象２までの距離Ｌは、公知のＬＥＤ測量技術を用いて、半自動的に測量することができる。また、レンズの焦点位置１７０１から対象２における高さ方向の上端部（頭頂部）までの仰角θ１およびレンズの焦点位置１７０１から対象２における高さ方向の下端部（つま先）までの俯角θ２も、公知の技術を用いて自動的に測量することができる。
【０１４１】
そして、オブジェクトの実寸法データが、測定によって取得されたものである場合、ファインダーフレーム（あるいは、サブファインダーフレーム）の寸法は、以下に説明する方法を用いて算出することも可能である。ここで、図２３は、ファインダーフレーム（あるいは、サブファインダーフレーム）の寸法の算出方法について説明する説明図である。
【０１４２】
図２３においては、具体的に、ファインダーフレーム１５０１の高さ方向の寸法Ｈ（あるいは、サブファインダーフレーム１７０３、１７０４の高さ方向の寸法Ｈｓ＝Ｈ１、Ｈ２）の算出方法について説明する。この方法を用いる場合、具体的には、たとえば、ディスプレイ５１３に配列されている画素の高さ方向の寸法Ｈ（Ｐ）および、高さ方向における配列個数Ｎを、上述したサイズメモリ部１１１３にあらかじめ記憶しておく。
【０１４３】
この場合、まず、ディスプレイ５１３に等倍表示した画像において、オブジェクトを表示するために用いた画素の高さ方向における個数Ｎｏを取得する。個数Ｎｏは、以下に示す（４）式によってあらわされる。
【０１４４】
Ｎｏ＝Ｈ（Ｒ）／Ｈ（Ｐ）    ・・・（４）
【０１４５】
つぎに、ディスプレイ５１３に配列されている画素の高さ方向における配列個数Ｎと、（４）式によって算出された個数Ｎｏと、の比率を用いて、ファインダーフレーム１５０１の高さ方向の寸法Ｈ（あるいは、サブファインダーフレーム１７０４の高さ方向の寸法Ｈｓ）を算出する。寸法Ｈ（あるいは、寸法Ｈｓ）は、以下に示す（５）式によってあらわされる。
【０１４６】
Ｈ（あるいはＨｓ）＝（Ｎ／Ｎｏ）×Ｈ（Ｒ）    ・・・（５）
【０１４７】
このような方法を用いて、ファインダーフレーム１５０１の高さ方向の寸法Ｈ（あるいは、サブファインダーフレーム１７０４の高さ方向の寸法Ｈｓ）を算出した場合にも、以降、上述と同様にして、選択されたオブジェクトをディスプレイ５１３上で実寸大になるように表示倍率を調整した画像を表示することができる。
【０１４８】
つぎに、ディスプレイ装置３２０の処理手順について説明する。図２４〜図３１は、ディスプレイ装置３２０の処理手順（その１）〜（その８）を示すフローチャートである。まず、図２４を用いて、ディスプレイ装置３２０の処理手順（その１）について説明する。図２４に示す処理手順は、画像表示に先立っておこなわれる。図２４に示すフローチャートにおいて、まず、電源が投入されるまで待って（ステップＳ２４０１：Ｎｏ）、投入された場合（ステップＳ２４０１：Ｙｅｓ）には、上述した設定スイッチが操作されたか否かを判断する（ステップＳ２４０２）。
【０１４９】
ステップＳ２４０２において、設定スイッチが操作された場合（ステップＳ２４０２：Ｙｅｓ）には、ディスプレイサイズ要求メッセージを出力する（ステップＳ２４０３）。ここで、ディスプレイサイズ要求メッセージとは、利用者に、ディスプレイ５１３のサイズ（ディスプレイ５１３の寸法Ｈｄ）の入力を要求するメッセージである。具体的には、ステップＳ２４０３においては、たとえば、『ディスプレイサイズを入力してください』などのメッセージをディスプレイ５１３に表示したり、スピーカ５１１から音声として出力したりする。
【０１５０】
そして、ステップＳ２４０３において出力されたディスプレイサイズ要求メッセージに応じて、ディスプレイ５１３のサイズデータが入力されるまで待って（ステップＳ２４１４：Ｎｏ）、入力された場合（ステップＳ２４０４：Ｙｅｓ）には、上述したサイズメモリ部１１１３に、入力されたサイズデータを記憶する（ステップＳ２４０５）。
【０１５１】
その後、入力デバイス５１４において設定完了の操作を受け付けるまで待って（ステップＳ２４０６：Ｎｏ）、受け付けた場合（ステップＳ２４０６：Ｙｅｓ）には、ディスプレイ５１３に画像を表示して（ステップＳ２４０７）、一連の処理を終了する。なお、ステップＳ２４０２において、設定スイッチが操作されていない場合（ステップＳ２４０２：Ｎｏ）には、適宜、その他の処理を実行し（ステップＳ２４０８）、一連の処理を終了する。ステップＳ２４０７においては、具体的には、たとえば、ディスプレイ５１３に画像を表示する処理をおこなう。
【０１５２】
なお、ディスプレイ５１３の寸法Ｈｄは、ディスプレイ装置３２０が表示画面と一体化しているものであれば、予めＲＯＭ５０１に記憶しておき、記憶された情報を必要に応じて適宜ＣＰＵ５０１で読み出すように構成することができる。これにより、ユーザが、ディスプレイ５１３の寸法Ｈｄを入力する作業を省略することができる。
【０１５３】
これに対し、ディスプレイ５１３が取り替え可能なタイプのディスプレイ装置３２０であれば、ユーザが最初にディスプレイ装置３２０を使用する際に、初期設定でユーザがディスプレイサイズ（ディスプレイ５１３の寸法Ｈｄ）を設定してもよいし、ネットワークを介して、ディスプレイサイズ（ディスプレイ５１３の寸法Ｈｄ）を自動的に取得するようにしてもよい。具体的には、ホームネットワークを介してディスプレイ装置３２０が自動的に接続されているディスプレイを検出し、検出されたディスプレイのサイズ情報をディスプレイ本体あるいは家電機器を管理しているホームサーバなどから取得するように構成することができる。
【０１５４】
つぎに、図２５を用いて、ディスプレイ装置３２０の処理手順（その２）について説明する。図２５に示すフローチャートにおいて、まず、対象となるピクチャーデータに関して、実寸法データ検出部１１０９によって検出されたオブジェクト数Ｎおよびオブジェクトごとの部位データ数Ｍを、実寸法メモリ部１１１０によって記憶する（ステップＳ２５０１）とともに、実寸法データ検出部１１０９によって検出されたファインダーフレーム（サブファインダーフレーム）の高さ方向の寸法Ｈ（Ｈｓ）を、実寸法メモリ部１１１０によって記憶する（ステップＳ２５０２）。
【０１５５】
また、ステップＳ２５０１およびＳ２５０２と同じピクチャーデータに関する部位データ（座標データ）を、実寸法メモリ部１１１０によって記憶する（ステップＳ２５０３）とともに、同じピクチャーデータを用いて、オリジナルの画像をディスプレイ５１３に表示する（ステップＳ２５０４）。ここで、ステップＳ２５０４においては、オブジェクト番号ｎ＝１に設定されているオブジェクトの部位番号ｍ＝１に設定されている座標部分をディスプレイ４１３の中心とする画像が、オリジナルの画像として表示される。
【０１５６】
つづいて、実寸表示スイッチ６００におけるオブジェクト選択用のカーソルキー６０１、６０２あるいは部位選択用のカーソルキー６０３、６０４のいずれのキーが操作されたか否かを判断する（ステップＳ２５０５〜Ｓ２５０９）。オブジェクト選択用のカーソルキー６０１が操作された場合（ステップＳ２５０５：Ｙｅｓ）、すなわち、オブジェクトを左方向に切替える場合には、図２６に示す処理へ移行する。操作されていない場合（ステップＳ２５０５：Ｎｏ）には、ステップＳ２５０６へ移行する。
【０１５７】
ステップＳ２５０６において、オブジェクト選択用のカーソルキー６０２が操作された場合（ステップＳ２５０６：Ｙｅｓ）には、すなわち、オブジェクトを右方向に切替える場合には、図２７に示す処理へ移行する。操作されていない場合（ステップＳ２５０６：Ｎｏ）には、ステップＳ２５０７へ移行する。ステップＳ２５０７において、部位選択用のカーソルキー６０３が操作された場合（ステップＳ２５０７：Ｙｅｓ）、すなわち、選択対象となる部位を上方向に切替える場合には、図２８に示す処理へ移行する。操作されていない場合（ステップＳ２５０７：Ｎｏ）には、ステップＳ２５０８へ移行する。
【０１５８】
ステップＳ２５０８において、部位選択用のカーソルキー６０４が操作された場合（ステップＳ２５０８：Ｙｅｓ）には、図２９に示す処理へ移行する。操作されていない場合（ステップＳ２５０８：Ｎｏ）には、ピクチャーデータが切り替わったか否かを判断する（ステップＳ２５０９）。ピクチャーデータが切り替わった場合（ステップＳ２５０９：Ｙｅｓ）には、ステップＳ２５０１へ戻り、次のピクチャーデータに関する処理をおこなう。
【０１５９】
ステップＳ２５０９において、ピクチャーデータが切り替わっていない場合（ステップＳ２５０９：Ｎｏ）には、実寸表示スイッチ６００におけるいずれのカーソルキー６０１〜６０４も操作されていないため、ステップＳ２５０４へ戻り、オリジナルの画像をディスプレイ５１３に表示する。なお、図２５に示す処理の実行中に、リセットキー６０５が操作された場合には、いずれのタイミングであってもステップＳ２５０４へ移行する。
【０１６０】
つぎに、図２６を用いて、ディスプレイ装置３２０の処理手順（その３）について説明する。図２６に示すフローチャートにおいて、まず、オブジェクト番号ｎに１を加算し、『ｎ＝ｎ＋１』とし（ステップＳ２６０１）、加算後のｎが『ｎ＞Ｎ』であるか否かを判断する（ステップＳ２６０２）。『ｎ＞Ｎ』である場合（ステップＳ２６０２：Ｙｅｓ）には、上述した図２５におけるＡへ戻る。
【０１６１】
ステップＳ２６０２において、『ｎ＞Ｎ』ではない場合（ステップＳ２６０２：Ｎｏ）には、選択対象となるオブジェクトを面内に含むサブファインダーフレームの実寸法Ｈｓと、ディスプレイ５１３の寸法Ｈｄとを比較する（ステップＳ２６０３）。比較の結果、『Ｈｓ＞Ｈｄ』である場合（ステップＳ２６０４：Ｙｅｓ）には、図３０に示す処理へ移行する。『Ｈｓ＞Ｈｄ』ではない場合（ステップＳ２６０４：Ｎｏ）には、ステップＳ２６０５へ移行する。
【０１６２】
ステップＳ２６０５において、『Ｈｓ＜Ｈｄ』である場合（ステップＳ２６０５：Ｙｅｓ）には、図３１に示す処理へ移行し、『Ｈｓ＜Ｈｄ』ではない場合（ステップＳ２６０５：Ｎｏ）には、上述した図２５におけるＡへ戻る。
【０１６３】
つぎに、図２７を用いて、ディスプレイ装置３２０の処理手順（その４）について説明する。図２７に示すフローチャートにおいて、まず、オブジェクト番号ｎから１を減算し、『ｎ＝ｎ−１』とし（ステップＳ２７０１）、減算後のｎが『ｎ＝Ｎ』であるか否かを判断する（ステップＳ２７０２）。『ｎ＝Ｎ』である場合（ステップＳ２７０２：Ｙｅｓ）には、上述した図２５におけるＡへ戻る。
【０１６４】
ステップＳ２７０２において、『ｎ＝Ｎ』ではない場合（ステップＳ２７０２：Ｎｏ）には、選択対象となるオブジェクトを面内に含むサブファインダーフレームの実寸法Ｈｓと、ディスプレイ５１３の寸法Ｈｄとを比較する（ステップＳ２７０３）。比較の結果、『Ｈｓ＞Ｈｄ』である場合（ステップＳ２７０４：Ｙｅｓ）には、図３０に示す処理へ移行する。『Ｈｓ＞Ｈｄ』ではない場合（ステップＳ２７０４：Ｎｏ）には、ステップＳ２７０５へ移行する。
【０１６５】
ステップＳ２７０５において、『Ｈｓ＜Ｈｄ』である場合（ステップＳ２７０５：Ｙｅｓ）には、図３１に示す処理へ移行し、『Ｈｓ＜Ｈｄ』ではない場合（ステップＳ２７０５：Ｎｏ）には、上述した図２５におけるＡへ戻る。
【０１６６】
つぎに、図２８を用いて、ディスプレイ装置３２０の処理手順（その５）について説明する。図２８に示すフローチャートにおいて、まず、部位番号ｍに１を加算し、『ｍ＝ｍ＋１』とし（ステップＳ２８０１）、加算後のｍが『ｍ＞Ｍ』であるか否かを判断する（ステップＳ２８０２）。『ｍ＞Ｍ』である場合（ステップＳ２８０２：Ｙｅｓ）には、上述した図２５におけるＡへ戻る。
【０１６７】
ステップＳ２８０２において、『ｍ＞Ｍ』ではない場合（ステップＳ２８０２：Ｎｏ）には、選択対象となるオブジェクトを面内に含むサブファインダーフレームの実寸法Ｈｓと、ディスプレイ５１３の寸法Ｈｄとを比較する（ステップＳ２８０３）。比較の結果、『Ｈｓ＞Ｈｄ』である場合（ステップＳ２８０４：Ｙｅｓ）には、図３０に示す処理へ移行する。『Ｈｓ＞Ｈｄ』ではない場合（ステップＳ２８０４：Ｎｏ）には、ステップＳ２８０５へ移行する。
【０１６８】
ステップＳ２８０５において、『Ｈｓ＜Ｈｄ』である場合（ステップＳ２８０５：Ｙｅｓ）には、図３１に示す処理へ移行し、『Ｈｓ＜Ｈｄ』ではない場合（ステップＳ２８０５：Ｎｏ）には、上述した図２５におけるＡへ戻る。
【０１６９】
つぎに、図２９を用いて、ディスプレイ装置３２０の処理手順（その６）について説明する。図２９に示すフローチャートにおいて、まず、オブジェクト番号ｍから１を減算し、『ｍ＝ｍ−１』とし（ステップＳ２９０１）、減算後のｍが『ｍ＝１』であるか否かを判断する（ステップＳ２９０２）。『ｍ＝１』である場合（ステップＳ２９０２：Ｙｅｓ）には、上述した図２５におけるＡへ戻る。
【０１７０】
ステップＳ２９０２において、『ｍ＝１』ではない場合（ステップＳ２９０２：Ｎｏ）には、選択対象となるオブジェクトを面内に含むサブファインダーフレームの実寸法Ｈｓと、ディスプレイ５１３の寸法Ｈｄとを比較する（ステップＳ２９０３）。比較の結果、『Ｈｓ＞Ｈｄ』である場合（ステップＳ２９０４：Ｙｅｓ）には、図３０に示す処理へ移行する。『Ｈｓ＞Ｈｄ』ではない場合（ステップＳ２９０４：Ｎｏ）には、ステップＳ２９０５へ移行する。
【０１７１】
ステップＳ２９０５において、『Ｈｓ＜Ｈｄ』である場合（ステップＳ２９０５：Ｙｅｓ）には、図３１に示す処理へ移行し、『Ｈｓ＜Ｈｄ』ではない場合（ステップＳ２９０５：Ｎｏ）には、上述した図２５におけるＡへ戻る。
【０１７２】
つぎに、図３０を用いて、ディスプレイ装置３２０の処理手順（その７）について説明する。図３０に示すフローチャートにおいて、まず、上述した表示倍率算出部１１１２によって算出された表示倍率Ｈｓ／Ｈｄを用いて、映像メモリ部１１０７に記憶された画像メモリ部１１０７に記憶された画像データに対する拡大補正演算をおこなう（ステップＳ３００１）。
【０１７３】
そして、ステップＳ３００１において拡大補正された画像データに基づく画像を、図２５のステップＳ２５０５〜Ｓ２５０８において受け付けた実寸大スイッチ６００の操作によって選択されたオブジェクトあるいは当該オブジェクトにおける所定の部位がディスプレイの中心となるように表示位置の補正演算をおこない（ステップＳ３００２）、補正演算後の画像データに基づく拡大画像をディスプレイ５１３に表示して（ステップＳ３００３）、一連の処理を終了する。ステップＳ３００２においては、実寸法メモリ部１１１０によって記憶されている部位データ（中心表示位置の座標）を用いる。
【０１７４】
具体的には、部位選択用のカーソルキー６０３、６０４の操作によって部位の選択を受け付けている場合には、選択された部位の座標をディスプレイ５１３の中心にした画像を表示する。部位の選択を受け付けていない場合には、あらかじめデフォルトとして設定された部位の座標をディスプレイ５１３の中心にした画像を表示する。
【０１７５】
つぎに、図３１を用いて、ディスプレイ装置３２０の処理手順（その８）について説明する。図３１に示すフローチャートにおいて、まず、上述した表示倍率算出部１１１２によって算出された表示倍率Ｈｓ／Ｈｄを用いて、映像メモリ部１１０７に記憶された画像メモリ部１１０７に記憶された画像データに対する縮小補正演算をおこなう（ステップＳ３１０１）。
【０１７６】
そして、ステップＳ３１０１において縮小補正された画像データを用いて、図２５のステップＳ２５０５〜Ｓ２５０８において受け付けた実寸大スイッチ６００の操作によって選択されたオブジェクトあるいは当該オブジェクトにおける所定の部位がディスプレイの中心となるように表示位置の補正演算をおこなう（ステップＳ３１０２）とともに、補正演算後の画像データの周囲に表示させる付加画像データの読み出しをおこなう（ステップＳ３１０３）。
【０１７７】
その後、ステップＳ３１０２において補正演算をおこなった画像データと、ステップＳ３１０３において読み出されたデータとを組み合わせた画像（縮小画像）を、ディスプレイ５１３に表示して（ステップＳ３１０４）、一連の処理を終了する。これにより、ディスプレイ５１３には、上述した図２１に示すように、オリジナルの画像を縮小した画像（縮小画像）の周囲（あるいは下側や側方）に、壁紙画像、あるいは、ニュース見出し・天気予報・ＣＭなどの付加画像が組み合わされた画像が表示される。
【０１７８】
上述したように、実施例のディスプレイ装置３２０によれば、通信Ｉ／Ｆ５０８を介してサーバ３１０から受信されたコンテンツに含まれる画像データにおけるオブジェクトの指定を受け付けた場合、受信されたコンテンツに含まれる実寸法データのうち指定オブジェクトの実寸法データとディスプレイサイズ（ディスプレイ５１３の寸法Ｈｄ）とに基づいて、指定オブジェクトをディスプレイ５１３上で実寸大になるように表示倍率を調整した画像を、ディスプレイ５１３に表示することができる。これによって、視聴者は、コンテンツの視聴中に登場するオブジェクトが実寸大で表示されることによる臨場感を体感することができる。
【０１７９】
また、実施例のディスプレイ装置３２０によれば、実寸法データを、ファインダーフレーム１５０１（あるいは、サブファインダーフレーム１７０３、１７０４）の実寸法に基づいたデータとすることで、オブジェクトと当該オブジェクトを撮影した撮影手段との距離に拘わらず、指定オブジェクトをディスプレイ５１３上で実寸大になるように表示倍率を調整した画像を、ディスプレイ５１３に表示することができる。これによって、視聴者は、コンテンツにおけるオブジェクトが実寸大で表示されることによる臨場感を体感することができる。
【０１８０】
また、実施例のディスプレイ装置３２０によれば、指定オブジェクトが含まれるファインダーフレーム１５０１（あるいは、サブファインダーフレーム１７０３、１７０４）の実寸法Ｈ（Ｈｓ）がディスプレイ５１３の寸法Ｈｄよりも大きい場合、画像データを拡大補正し、指定オブジェクトの一部をあらわす画像を、ディスプレイ５１３に表示することができる。これによって、視聴者は、指定オブジェクトが含まれるファインダーフレームの実寸法１５０１（あるいは、サブファインダーフレーム１７０３、１７０４）の実寸法Ｈ（Ｈｓ）に左右されることなく、コンテンツにおけるオブジェクトが実寸大で表示されることによる臨場感を体感することができる。
【０１８１】
また、実施例のディスプレイ装置３２０によれば、拡大表示する際に、指定オブジェクトの所定位置をディスプレイ５１３の中心となるように表示することができる。これによって、視聴者は、指定オブジェクトが含まれるファインダーフレーム１５０１（あるいは、サブファインダーフレーム１７０３、１７０４）の実寸法Ｈ（Ｈｓ）に左右されることなく、コンテンツにおけるオブジェクトが実寸大で表示されることによる臨場感を体感することができる。
【０１８２】
また、実施例のディスプレイ装置３２０によれば、指定オブジェクトが含まれるファインダーフレーム１５０１（あるいは、サブファインダーフレーム１７０３、１７０４）の実寸法Ｈ（Ｈｓ）がディスプレイ５１３の寸法Ｈｄよりも小さい場合、画像データを縮小補正した画像を、ディスプレイ５１３に表示することができる。これによって、視聴者は、指定オブジェクトが含まれるファインダーフレーム１５０１（あるいは、サブファインダーフレーム１７０３、１７０４）の実寸法Ｈ（Ｈｓ）に左右されることなく、コンテンツにおけるオブジェクトが実寸大で表示されることによる臨場感を体感することができる。
【０１８３】
また、実施例のディスプレイ装置３２０によれば、縮小表示する際には、ファインダーフレームの実寸法に応じて、指定オブジェクトにおいて視聴者に指定された所定位置をディスプレイ５１３の中心となるように表示することができる。したがって、表示装置１２０は、ファインダーフレームの実寸法に応じて、適宜見やすい位置に画像を表示することができる。
【０１８４】
これによって、視聴者は、ファインダーフレーム１５０１（あるいは、サブファインダーフレーム１７０３、１７０４）の実寸法Ｈ（Ｈｓ）に応じて、適宜見やすい位置に画像を表示させることができ、ファインダーフレーム１５０１（あるいは、サブファインダーフレーム１７０３、１７０４）の実寸法Ｈ（Ｈｓ）に拘わらず、常に見やすい画像を見ながら、コンテンツにおけるオブジェクトが実寸大で表示されることによる臨場感を体感することができる。
【０１８５】
また、実施例のディスプレイ装置３２０によれば、ファインダーフレーム１５０１（あるいは、サブファインダーフレーム１７０３、１７０４）の実寸法Ｈ（Ｈｓ）がディスプレイ５１３の寸法Ｈｄよりも小さい場合、ディスプレイ５１３においてコンテンツに基づく画像が表示されない空間部分を壁紙２１０１や付加画像によって埋めることができる。これによって、視聴者は、ディスプレイ５１３において何も表示されない空間部分が存在することによる故障の心配などをすることなく、ファインダーフレームの実寸法に拘わらず、コンテンツの視聴中に登場するオブジェクトが実寸大で表示されることによる臨場感を体感することができる。
【０１８６】
この実施例のディスプレイ装置の利用が想定される状況の具体例としては、たとえば、コンテンツが、商品をディスプレイ５１３への画像表示を利用して販売する通信販売であれば、視聴者は、実施例のディスプレイ装置３２０を利用することによって、商品の大きさを正確に把握することができるので、商品の大きさを誤解した状態での購入を回避することができ、商品の返品に伴う煩雑な作業やトラブルを回避することができる。
【０１８７】
また、別の具体例として、たとえば、コンテンツが、遺跡などの古い建造物などを案内するものであれば、視聴者は、実施例のディスプレイ装置３２０を利用することにより、遺跡全体の大きさや、部分的な模様や彫刻などの大きさを正確に把握することができ、ディスプレイ装置３２０の前にいながらにして、遺跡が建造されている現地の臨場感を体感することができる。
【０１８８】
また、別の具体例として、たとえば、コンテンツが、相撲やプロ選手によるスポーツなど特定の人物によっておこなわれるイベントであれば、視聴者は、実施例のディスプレイ装置３２０を利用することにより、関取やプロスポーツ選手の体格のよさや手の大きさなどを正確に把握することができ、ディスプレイ装置３２０の前にいながらにして、コンテンツ中に登場する特定の人物の大きさなどを間近に体感することができる。
【０１８９】
以上説明したように、表示装置１２０、表示制御装置、表示方法、表示プログラム、および記録媒体によれば、コンテンツにおけるオブジェクトの実寸法を伝達することが可能になる。これによって、視聴者は、コンテンツの意図に沿って、作成されたコンテンツを視聴するとともに、オブジェクトが実寸大で表示されることによる臨場感を体感することができる。
【０１９０】
なお、本実施の形態で説明した表示方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１９１】
【図１】実施の形態にかかる実寸大表示システムの概略構成を示すブロック図である。
【図２】表示装置の表示処理手順を示すフローチャートである。
【図３】実施例のネットワークシステムの概略構成を示すブロック図である。
【図４】サーバのハードウエア構成を示すブロック図である。
【図５】ディスプレイ装置のハードウエア構成を示すブロック図である。
【図６】実寸表示スイッチの一例を示す平面図である。
【図７】表示画面の一例を示す説明図である。
【図８】コンテンツに含まれるデータの一例を示す説明図である。
【図９】ディスプレイ装置の機能的構成を示すブロック図である。
【図１０】データの構造を示す説明図である。
【図１１】ディスプレイ装置の機能的構成を示すブロック図である。
【図１２】サーバの処理手順を示すフローチャートである。
【図１３】ディスプレイ装置の処理手順を示すフローチャートである。
【図１４】レンズの焦点距離と画角との関係を示す説明図である。
【図１５】画像の一例を示す説明図である。
【図１６】ファインダーフレームの寸法について説明する説明図である。
【図１７】サブファインダーフレームのサイズについて説明する説明図である。
【図１８】表示倍率の算出方法について説明する説明図（その１）である。
【図１９】表示倍率の調整について説明する説明図（その１）である。
【図２０】表示倍率の算出方法について説明する説明図（その２）である。
【図２１】表示倍率の調整について説明する説明図（その２）である。
【図２２】撮影対象の実寸法の測定方法について説明する説明図である。
【図２３】ファインダーフレーム（あるいは、サブファインダーフレーム）の寸法の算出方法について説明する説明図である。
【図２４】ディスプレイ装置３２０の処理手順（その１）を示すフローチャートである。
【図２５】ディスプレイ装置３２０の処理手順（その２）を示すフローチャートである。
【図２６】ディスプレイ装置３２０の処理手順（その３）を示すフローチャートである。
【図２７】ディスプレイ装置３２０の処理手順（その４）を示すフローチャートである。
【図２８】ディスプレイ装置３２０の処理手順（その５）を示すフローチャートである。
【図２９】ディスプレイ装置３２０の処理手順（その６）を示すフローチャートである。
【図３０】ディスプレイ装置３２０の処理手順（その７）を示すフローチャートである。
【図３１】ディスプレイ装置３２０の処理手順（その８）を示すフローチャートである。
【符号の説明】
【０１９２】
１２０  表示装置
１２２  受信部
１２３  受付部
１２４  表示制御部
【図１】
2007178644.tif 000003
【図２】
2007178644.tif 000004
【図３】
2007178644.tif 000005
【図４】
2007178644.tif 000006
【図５】
2007178644.tif 000007
【図６】
2007178644.tif 000008
【図７】
2007178644.tif 000009
【図８】
2007178644.tif 000010
【図９】
2007178644.tif 000011
【図１０】
2007178644.tif 000012
【図１１】
2007178644.tif 000013
【図１２】
2007178644.tif 000014
【図１３】
2007178644.tif 000015
【図１４】
2007178644.tif 000016
【図１５】
2007178644.tif 000017
【図１６】
2007178644.tif 000018
【図１７】
2007178644.tif 000019
【図１８】
2007178644.tif 000020
【図１９】
2007178644.tif 000021
【図２０】
2007178644.tif 000022
【図２１】
2007178644.tif 000023
【図２２】
2007178644.tif 000024
【図２３】
2007178644.tif 000025
【図２４】
2007178644.tif 000026
【図２５】
2007178644.tif 000027
【図２６】
2007178644.tif 000028
【図２７】
2007178644.tif 000029
【図２８】
2007178644.tif 000030
【図２９】
2007178644.tif 000031
【図３０】
2007178644.tif 000032
【図３１】
2007178644.tif 000033